(57)【要約】      （修正有）【課題】プラスチック製の可撓性の収容容器に設けた口部を蓋体から突出させて、この収容容器を外装体内に収容させると共に、外装体の上面に上記の蓋体を取り付けた流体輸送用容器において、収容容器を外装体内から簡単に取り出して分離し、外装体や蓋体を何度も使用できるようにする。【解決手段】プラスチック製の可撓性の収容容器の上面部の角部に突設された口部12を、蓋板部31の周囲に側壁部32が設けられた蓋体30における蓋板部の角部における口部取付部から上方に突出するように取り付け、この収容容器を箱状になった金属製の外装体20内に収容させると共に、蓋体30を外装体の上面に被せるように取り付け、この状態で、蓋体の側壁部に設けた係止部材36を回動させて外装体の側壁に設けられた係止孔23に係止させた。【選択図】図７
0003139160.tif 000002
【実用新案登録請求の範囲】
【請求項１】
上面部の角部に流体の出し入れを行う口部が突設されたプラスチック製の可撓性の収容容器と、この収容容器を収容させる上面が開口された箱状になった金属製の外装体と、蓋板部の周囲に側壁部が設けられて上記の外装体の上面に被せるように取り付けられるプラスチック製の蓋体とを備え、上記の蓋体における蓋板部の角部に、上記の収容容器の口部を上方に突出するように取り付ける口部取付部が設けられると共に、この蓋体の側壁部に係止部材が回動可能に設けられ、この係止部材が外装体の側壁に設けられた係止孔に係止されることを特徴とする流体輸送用容器。
【請求項２】
請求項１に記載した流体輸送用容器において、上記の収容容器の上面部の角部に凹部が形成され、この凹部に上記の口部が突設されると共に、上記の蓋体における蓋板部の角部に凹部が形成され、この凹部に上記の口部取付部が設けられていることを特徴とする流体輸送用容器。
【請求項３】
請求項１又は請求項２に記載した流体輸送用容器において、上記の蓋体における蓋板部の中央部に取手部が設けられていることを特徴とする流体輸送用容器。
【考案の詳細な説明】
【技術分野】
【０００１】
この考案は、液体や粉体等の流体を輸送するのに使用する流体輸送用容器に係り、特に、プラスチック製の可撓性の収容容器に設けた口部を蓋体から突出させて、この収容容器を外装体内に収容させると共に、外装体の上面に上記の蓋体を取り付けた流体輸送用容器において、収容容器を外装体内から取り出して簡単に分離できるようにすると共に、上記の外装体や蓋体を何度も使用できるようにした点に特徴を有するものである。
【背景技術】
【０００２】
従来、液体や粉体等の流体を輸送するのに、一斗缶と呼ばれるブリキ缶が広く利用されていた。
【０００３】
しかし、このようなブリキ缶は耐食性が十分ではなく、例えば、次亜塩素酸ソーダ等の強酸化剤を含む液体洗剤等の流体を収容させた場合、このように収容させた流体によってブリキ缶が腐食すると共に、収容させた流体が変質するという問題があった。
【０００４】
このため、近年においては、上記のブリキ缶内にプラスチック製の可撓性の収容容器を内装させ、この収容容器に設けられた口部をブリキ缶の上面の口部から突出させ、この収容容器内に上記のような流体を収容させるようにしたアトロン缶と呼ばれる流体輸送用容器が用いられるようになった。
【０００５】
一方、近年においては、ごみの分別回収が進み、上記の流体輸送用容器においてブリキ缶と収容容器とを分離させて回収することが必要になった。
【０００６】
しかし、上記のような流体輸送用容器において、ブリキ缶と収容容器とを分離させて回収するためには、上記のブリキ缶を切断して、収容容器をブリキ缶から分離させることが必要になり、作業が非常に面倒で時間を要すると共に、ブリキ缶が無駄になるという問題があった。
【０００７】
このため、最近においては、特許文献１に示されるように、段ボール等で構成された箱状の外装体内に上記の収容容器を収容させると共に、この外装体の側壁内面に支持段部を設け、この支持段部に保持させた支持板に上記の収容容器の口部と係合する係合穴を設け、収容容器を段ボール等で構成された箱状の外装体から簡単に分離できるようにした流体輸送用容器が提案されている。
【０００８】
しかし、このように外装体の側壁内面に設けた支持段部によって支持板を保持させる場合、支持板を十分に支持することが困難であり、上記の収容容器内に流体を収容させて流体輸送用容器を段積みした場合に、この支持板が変形して上記の支持段部から外れたりするおそれがあり、流体輸送用容器を多く段積みすることができないという問題があった。
【０００９】
また、上記の流体輸送用容器においては、外装体の側壁に把手穴を設け、この把手穴により流体輸送用容器を持ち上げるようにしているため、収容容器内に流体を充填させた状態で流体輸送用容器を持ち上げるようにした場合、この外装体の底が抜けたりする等の問題もあった。
【００１０】
また、特許文献２に示されるように、段ボール等で構成された箱状の外装体内に、上面部に流体の出し入れを行う口部が設けられた収容容器を収容させ、この収容容器の口部をプラスチック製の蓋体に設けられた穴部から突出させるように取り付け、この蓋体の側壁部に回動可能に設けた係止部材を外装体の側壁に設けられた係止孔に係止させて、この蓋体を上記の外装体の上面に被せるようにして取り付けるようにした流体輸送用容器も提案されている。
【００１１】
しかし、上記の特許文献１，２に示されるように、段ボール等で構成された箱状の外装体を用いた場合、この外装体の強度が十分ではなく、特に、水等に濡れると、この外装体の強度が大きく低下し、この外装体を繰り返して使用することができなくなるという問題があった。
【特許文献１】特開平８−８５５７１号公報
【特許文献２】特開２００６−３２１５０５号公報
【考案の開示】
【考案が解決しようとする課題】
【００１２】
この考案は、液体や粉体等の流体を輸送するのに使用する流体輸送用容器における上記のような様々な問題を解決することを課題とするものである。
【００１３】
そして、この考案においては、プラスチック製の可撓性の収容容器に設けた口部を蓋体から突出させて、この収容容器を外装体内に収容させると共に、外装体の上面に上記の蓋体を取り付けた流体輸送用容器において、収容容器を外装体内から取り出して簡単に分離できるようにすると共に、上記の外装体や蓋体を何度も使用できるようにすることを課題とするものである。
【課題を解決するための手段】
【００１４】
この考案における流体輸送用容器においては、上記のような課題を解決するため、上面部の角部に流体の出し入れを行う口部が突設されたプラスチック製の可撓性の収容容器と、この収容容器を収容させる上面が開口された箱状になった金属製の外装体と、蓋板部の周囲に側壁部が設けられて上記の外装体の上面に被せるように取り付けられるプラスチック製の蓋体とを備え、上記の蓋体における蓋板部の角部に、上記の収容容器の口部を蓋板部の上方に突出するように取り付ける口部取付部を設けると共に、この蓋体の側壁部に係止部材を回動可能に設け、この係止部材を外装体の側壁に設けられた係止孔に係止させるようにした。
【００１５】
ここで、上記の流体輸送用容器においては、上記の収容容器の上面部の角部に凹部を形成し、この凹部に上記の口部を突設させると共に、上記の蓋体における蓋板部の角部に凹部を形成し、この凹部に上記の口部取付部を設けることができる。
【００１６】
また、この流体輸送用容器においては、上記の蓋体における蓋板部の中央部に取手部を設けることができる。
【考案の効果】
【００１７】
この考案における流体輸送用容器においては、上面部の角部に流体の出し入れを行う口部が設けられたプラスチック製の可撓性の収容容器と、上面が開口された箱状になった金属製の外装体と、蓋板部の周囲に側壁部が設けられたプラスチック製の蓋体とを用い、上記の収容容器における口部を上記の蓋体における蓋板部の角部に設けた口部取付部から上方に突出するようにして、この収容容器を蓋体に取り付けるようにする。
【００１８】
そして、上記の収容容器を金属製の外装体内に収容させると共に、上記の蓋体を上記の外装体の上面に被せるようにし、この蓋体の側壁部に回動可能に設けられた係止部材を回動させて、この係止部材を外装体の側壁に設けられた係止孔に係止させ、蓋体を外装体の上面に取り付けるようにする。
【００１９】
このようにすると、収容容器が金属製の外装体内に収容された状態で、蓋体が外装体の上面に適切に取り付けることができると共に、この蓋体の側壁部に設けられた係止部材を逆方向に回動させて、この係止部材を外装体の側壁における係止孔から離脱させることにより、蓋体を外装体から簡単に取り外すことができるようになり、外装体内に収容された上記の収容容器を簡単に外装体内から取り出すことができると共に、このように取り出した収容容器を蓋体から分離させて、上記の外装体と蓋体と収容容器とを個別に回収することが容易に行えるようになる。
【００２０】
また、この考案における流体輸送用容器においては、金属製の外装体を用いているため、外装体が十分な強度を有すると共に、水等に濡れた場合においても強度が低下するということがなく、上記の蓋体と同様に、この外装体を何度も繰り返して使用することができるようになり、コストが低減されると共に、資源が無駄に消費されるのも防止されるようになる。
【００２１】
また、上記の流体輸送用容器において、上記の収容容器の上面部の角部に凹部を形成し、この凹部に上記の口部を突設させると共に、上記の蓋体における蓋板部の角部に凹部を形成し、この凹部に上記の口部取付部を設けるようにすると、この口部取付部から突出するように収容容器の口部を取り付けた場合に、収容容器の口部が蓋体における蓋板部の上面から上方に突出するのが抑制されるようになる。
【００２２】
この結果、この流体輸送用容器を積み重ねる場合に、収容容器の口部が邪魔になることがなく、この流体輸送用容器を適切に段積みできるようになる。
【００２３】
また、上記の蓋体における蓋板部の中央部に取手部が設けると、この取手部をもって流体輸送用容器を持ち運ぶことができるようになる。
【考案を実施するための最良の形態】
【００２４】
以下、この考案の実施形態に係る流体輸送用容器を添付図面に基づいて具体的に説明する。なお、この考案に係る流体輸送用容器は下記の実施形態に示したものに限定されず、考案の要旨を変更しない範囲において、適宜変更して実施できるものである。
【００２５】
この実施形態における流体輸送用容器においては、収容容器１０として、図１に示すように、ブロー成形により中空の略直方体状に成形したプラスチック製の可撓性を有する収容容器１０を用いるようにしている。ここで、上記のプラスチックとしては一般にポリエチレンを使用し、この収容容器１０においては、十分な強度と可撓性が確保されるように、その厚みが約０．２〜０．５ｍｍ程度になるようにしている。
【００２６】
そして、この収容容器１０の上面部１１における１つの角部に凹部１１ａを設け、この凹部１１ａから流体の出し入れを行う口部１２を突設させると共に、この口部１２の上縁にキャップ（図示せず）を装着させるための鍔部１２ａを設けている。
【００２７】
また、外装体２０としては、図２に示すように、ブリキ等の金属で構成されて上面が開口された直方体の箱状に形成されたものを用い、この外装体２０の各側壁２１の上部側の中央部分に、それぞれ蓋体３０を係止させて取り付けるための係止穴２２を設けている。
【００２８】
また、蓋体３０としては、プラスチック材料を射出成型により成形したものを用いるようにし、図３及び図４に示すように、略正方形状になった蓋板部３１の周囲から下方に向けて側壁部３２を設けている。
【００２９】
そして、上記の蓋体３０における蓋板部３１の１つの角部に凹部３１ａを設け、この凹部３１ａ内に上記の収容容器１０に設けられた口部１２を上方に突出させる穴部３３ａと上方に突出された口部１２の上縁における鍔部１２ａを保持する保持部３３ｂとを有する口部取付部３３を設けると共に、この蓋板部３１の中央部に取手用凹部３１ｂを設け、この取手用凹部３１ｂ内に所要間隔を介して一対の取手取付溝３４ａを設け、この一対の取手取付溝３４ａ内に取手部３４のそれぞれの端部を挿入して係止させて、取手部３４を上方に突出可能に設けている。
【００３０】
また、上記の蓋体３０における各側壁部３２の中央部にそれぞれ切欠３５を形成し、各切欠３５の上縁の側壁部３２に係止部材３６を回動可能に設け、各係止部材３６にそれぞれ先端が鉤型状になった係止片３６ａを形成している。
【００３１】
ここで、この実施形態における流体輸送用容器においては、図５に示すように、収容容器１０に設けられた上記の口部１２を蓋体３０に設けられた穴部３３ａから上方に突出させ、この口部１２上縁の鍔部１２ａを上記の保持部３３ｂに保持させるようにして、収容容器１０の口部１２を蓋体３０の口部取付部３３に取り付け、この状態で、収容容器１０を上記の外装体２０内に収容させると共に、蓋体３０を外装体２０の上面に被せるようにする。
【００３２】
そして、蓋体３０の各側壁部３２における切欠３５の部分に設けた各係止部材３６を、図６に示すように、それぞれ下方に回転させて、各係止部材３６に設けられた先端が鉤型状になった係止片３６ａを外装体２０の各側壁２１に設けられた係止穴２３に挿入させ、各係止片３６ａの先端における鉤型部分を各係止穴２３の穴縁における側壁２１の内面側に係止させて、蓋体３０を外装体２０に取り付けるようにする。
【００３３】
このようにすると、図７に示すように、収容容器１０の口部１２が蓋体３０の蓋板部３１に設けられた凹部３１ａ内に収納されると共に、上記の取手部３４が蓋体３０の蓋板部３１に設けられた取手用凹部３１ｂ内に収納された状態になり、この流体輸送用容器を積み重ねる場合に、収容容器１０の口部１２や上記の取手部３４が蓋板部３１の上面より上方に突出して邪魔になるということがなく、この流体輸送用容器を適切に段積みできるようになる。
【００３４】
また、この流体輸送用容器を使用した後、上記の蓋体３０と外装体２０と収容容器１０とを分離させるにあたっては、上記の場合とは逆に、外装体２０の各側壁２１に設けられた係止穴２３から蓋体３０における係止部材３６に設けられた係止片３６ａを離脱させ、蓋体３０を外装体２０から取り外して、外装体２０内に収容されている収容容器１０を取り出すようする。
【００３５】
その後、上記の蓋体３０の口部取付部３３から収容容器１０の口部１２を取り外して、蓋体３０と収容容器１０とを分離させるようにする。
【００３６】
このようにすると、次の流体を収容させて輸送させる場合、上記の収容容器１０を取り替えるだけでよく、上記の蓋体３０や外装体２０をそのまま使用することができ、コストが低減されると共に、資源が無駄に消費されるのも防止されるようになる。
【００３７】
なお、この実施形態における流体輸送用容器においては、蓋体３０の蓋板部３１の中央部に設けた取手用凹部３１ｂ内に取手部３４を設け、この取手部３４をもって流体輸送用容器を持ち運ぶようにしたが、取手用凹部３１ｂや取手部３４をなくし、樹脂製のバンド部材（図示せず）をこの流体輸送用容器に巻き掛けて、流体輸送用容器を持ち運ぶようにすることも可能である。
【図面の簡単な説明】
【００３８】
【図１】この考案の一実施形態に係る流体輸送用容器において使用する収容容器を示した概略側面図である。
【図２】上記の実施形態に係る流体輸送用容器において使用する外装体を示した斜視図である。
【図３】上記の実施形態に係る流体輸送用容器において使用する蓋体を示した概略平面図である。
【図４】上記の蓋体の概略側面図である。
【図５】上記の実施形態に係る流体輸送用容器において、収容容器の口部を蓋体の口部取付部に取り付けて、収容容器を外装体内に収容させた状態を示した部分断面説明図である。
【図６】上記の実施形態に係る流体輸送用容器において、蓋体に設けられた係止部材を外装体の側壁に係止させる状態を示した断面説明図である。
【図７】上記の実施形態に係る流体輸送用容器において、収容容器を外装体内に収容させると共に外装体に蓋体を取り付けた状態を示した概略側面図である。
【符号の説明】
【００３９】
１０  収容容器
１１  上面部
１１ａ  凹部
１２  口部
１２ａ  鍔部
２０  外装体
２１  側壁
２２  係止穴
３０  蓋体
３１  蓋板部
３１ａ  凹部
３１ｂ  取手用凹部
３２  側壁部
３３  口部取付部
３３ａ  穴部
３３ｂ  保持部
３４  取手部
３４ａ  取手取付溝
３５  切欠
３６  係止部材
３６ａ  係止片
【図１】
0003139160.tif 000003
【図２】
0003139160.tif 000004
【図３】
0003139160.tif 000005
【図４】
0003139160.tif 000006
【図５】
0003139160.tif 000007
【図６】
0003139160.tif 000008
【図７】
0003139160.tif 000009